(57)【要約】【課題】デジタルデータをアナログデータに変換するメディア変換装置でデータの加工を可能にする。【解決手段】メディア変換装置１１のデジタルエフェクト処理部２８は、インタフェース部２９が受け付ける操作部３０で設定操作された加工内容及び加工程度に基づいて、１３９４Ｉ／Ｆ部２０が外部より受け付けたデジタルデータを加工する。加工されたデジタルデータが音声データである場合、音声データ用Ａ／Ｄ・Ｄ／Ａ変換部３２を含む音声処理部３１でアナログデータに変換されて外部へ伝送される。加工されたデジタルデータが画像データである場合、画像データ用Ａ／Ｄ・Ｄ／Ａ変換部３５を含む画像処理部３４でアナログデータに変換されて外部へ伝送される。【選択図】　　　　図２
2004109502.tif 000002
【特許請求の範囲】
【請求項１】
Ｄ／Ａ変換を行う車載用の変換装置において、
外部から受け付けるデジタルデータを加工するデータ加工手段と、
該データ加工手段が加工したデジタルデータのＤ／Ａ変換を行う変換手段と、
該変換手段がＤ／Ａ変換を行ったアナログデータを外部へ伝送する伝送手段と
を備えることを特徴とする車載用の変換装置。
【請求項２】
前記デジタルデータの加工内容を受け付ける加工内容受付手段を更に備え、
前記データ加工手段は、
前記加工内容受付手段が受け付けた加工内容に基づいて、前記デジタルデータを加工する請求項１に記載の車載用の変換装置。
【請求項３】
前記デジタルデータは音声データであり、
前記音声データの加工内容は、音声の大小、音声の高低、音声の長短又は音声の音色の少なくともいずれか１つを変更するものである請求項２に記載の車載用の変換装置。
【請求項４】
前記加工内容受付手段が受け付けた加工内容に対する加工程度を受け付ける加工程度受付手段を更に備え、
前記データ加工手段は、
前記加工程度受付手段が受け付けた加工程度に基づいて、前記デジタルデータを加工する請求項２又は請求項３に記載の車載用の変換装置。
【請求項５】
デジタル機器がデジタルデータを送信し、該デジタルデータを変換装置が受け付けてアナログデータに変換し、該アナログデータを該変換装置からアナログ機器へ伝送するデータ伝送方法において、
前記変換装置は、
受け付けた前記デジタルデータを加工し、
加工したデジタルデータをアナログデータに変換することを特徴とするデータ伝送方法。
【請求項６】
デジタル機器が送信したデジタルデータをアナログデータに変換する変換装置が、変換したアナログデータをアナログ機器へ伝送する車載のデータ伝送システムにおいて、
前記変換装置は、
前記デジタルデータを加工するデータ加工手段と、
該データ加工手段が加工したデジタルデータをアナログデータに変換する変換手段と
を備えることを特徴とするデータ伝送システム。
【発明の詳細な説明】
【０００１】
【発明の属する技術分野】
本発明は、デジタルデータを変換装置でアナログデータに変換し、変換したアナログデータをアナログ機器へ伝送するものに関し、特に、伝送されるデータを変換装置で加工可能にするものである。
【０００２】
【従来の技術】
従来、デジタル機器及びアナログ機器をメディア変換装置で接続し、メディア変換装置がデジタルデータ及びアナログデータの変換を行うことで、各機器間でデータを伝送できるようにした車載のデータ伝送システムが存在する。
【０００３】
図４は、メディア変換装置２を含む従来のデータ伝送システム１であり、メディア変換装置２はデジタル接続ポート２ａにネットワークケーブル６でＤＶＤ装置３を接続しており、アナログ接続ポート２ｂにはワイヤハーネス７ａでアンプ装置４を接続している。また、アンプ装置４にはワイヤハーネス７ｂでスピーカ５を接続している。
【０００４】
上述した構成のデータ伝送システム１は、ＤＶＤ装置３でＤＶＤ（Ｄｉｇｉｔａｌ　Ｖｅｒｓａｔｉｌｅ　Ｄｉｓｃ）を再生した場合、ＤＶＤ装置３から出力されるデジタル音声データがメディア変換装置２でアナログ音声データへ変換されてアンプ装置４へ伝送される。また、アンプ装置４は自身が有するボリュームスイッチ４ａ、高音調整スイッチ４ｂ、低音調整スイッチ４ｃ等でアナログ音声データを所要の状態に調整してからスピーカ５へ伝送することで、スピーカ５より所要の状態に調整された音声が出力される。なお、各種車載機器を接続したようなシステムは以下の公報に開示されている（特許文献１参照。）。
【０００５】
【特許文献１】
特開２００２−１５２２４４号公報
【０００６】
【発明が解決しようとする課題】
上述したように、従来のメディア変換装置２は、デジタルデータ及びアナログデータの変換は可能にしているが、アンプ装置４が行う音量の調節、高音の調節、低音の調節等を行う機能まで具備していない。よって、デジタル音声データをアナログ音声データに変換してスピーカ５から出力する場合、必ずアンプ装置４が必要となる問題があった。また、音声データにエコー及びアレンジ等の各種効果を付加する場合は、音声データにこの種の効果を付加することが可能なエフェクタ装置もメディア変換装置２及びスピーカ５の間に介在させる必要があった。
【０００７】
さらに、アンプ装置４は車両Ｓの限られた内部スペースを占有する上、メディア変換装置２からスピーカ５に至るまで複数のワイヤハーネス７ａ、７ｂが必要になり、ワイヤハーネス７ａ、７ｂの車両Ｓへの布線作業も煩雑になると云う問題もある。特に、アンプ装置４は車両Ｓのインストルメントパネルのセンタコンソールに設置されることが多いため、車室の後方にスピーカ５が設置された場合は、両者を接続するワイヤハーネス７ｂの全長も長くなり、布線作業の負担も大きくなる。
【０００８】
また、メディア変換装置２では、音声データだけでなく画像データもＤ／Ａ変換して伝送することがある。例えば、メディア変換装置２に車両に持ち込んだＤＶ（デジタルビデオ）カメラ及びアナログモニタを接続し、ＤＶカメラのデジタル画像データをメディア変換装置２でアナログ画像データに変換して、アナログモニタで表示することも可能である。しかし、この場合も表示される画像データ自体の明度及び画質等をメディア変換装置２で加工編集することは従来不可能であった。
【０００９】
本発明は、斯かる事情に鑑みてなされたものであり、メディア変換装置に各種データの加工手段を備えることで、メディア変換装置で伝送するデータを加工可能とした変換装置、データ伝送方法及びデータ伝送システムを提供することを目的とする。
また、メディア変換装置で加工する内容及び加工する程度を受付可能にすることで、データを詳細に加工できるようにした変換装置を提供することを目的とする。
【００１０】
【課題を解決するための手段】
第１発明に係る変換装置は、Ｄ／Ａ変換を行う車載用の変換装置において、外部から受け付けるデジタルデータを加工するデータ加工手段と、該データ加工手段が加工したデジタルデータのＤ／Ａ変換を行う変換手段と、該変換手段がＤ／Ａ変換を行ったアナログデータを外部へ伝送する伝送手段とを備えることを特徴とする。
【００１１】
第２発明に係る変換装置は、前記デジタルデータの加工内容を受け付ける加工内容受付手段を更に備え、前記データ加工手段は、前記加工内容受付手段が受け付けた加工内容に基づいて、前記デジタルデータを加工することを特徴とする。
第３発明に係る変換装置は、前記デジタルデータは音声データであり、前記音声データの加工内容は、音声の大小、音声の高低、音声の長短又は音声の音色の少なくともいずれか１つを変更するものであることを特徴とする。
【００１２】
第４発明に係る変換装置は、前記加工内容受付手段が受け付けた加工内容に対する加工程度を受け付ける加工程度受付手段を更に備え、前記データ加工手段は、前記加工程度受付手段が受け付けた加工程度に基づいて、前記デジタルデータを加工することを特徴とする。
【００１３】
第５発明に係るデータ伝送方法は、デジタル機器がデジタルデータを送信し、該デジタルデータを変換装置が受け付けてアナログデータに変換し、該アナログデータを該変換装置からアナログ機器へ伝送するデータ伝送方法において、前記変換装置は、受け付けた前記デジタルデータを加工し、加工したデジタルデータをアナログデータに変換することを特徴とする。
【００１４】
第６発明に係るデータ伝送システムは、デジタル機器が送信したデジタルデータをアナログデータに変換する変換装置が、変換したアナログデータをアナログ機器へ伝送する車載のデータ伝送システムにおいて、前記変換装置は、前記デジタルデータを加工するデータ加工手段と、該データ加工手段が加工したデジタルデータをアナログデータに変換する変換手段とを備えることを特徴とする。
【００１５】
第１発明、第５発明及び第６発明にあっては、変換装置がデジタルデータを加工するデータ加工手段を備えるので、変換装置で加工したデータをアナログ機器へ伝送できるため、システム全体の構成を簡易化できる。例えば、音声データに対する従来のアンプ装置の機能を変換装置で行うことが可能になり、アンプ装置を不要にして、今までアンプ装置が占有していた車両内の限られたスペースを他の用途に使用できる。さらにアンプ装置とスピーカを接続するワイヤハーネスの本数の削減、布線形態の簡略化を実現でき、変換装置の車両への搭載位置によっては、ワイヤハーネス長も短縮できる。
【００１６】
第２発明にあっては、変換装置が加工内容受付手段を備えて、受け付けた加工内容に基づきデータの加工を行うので、所要の加工を確実に変換装置で行うことができる。このような加工内容受付手段としては、車両の搭乗者が指示する加工内容を指示信号として受け付けるインタフェース部のような手段が該当する。よって、変換装置に一体又は別体で設けた各種操作スイッチ、タッチパネル機能を具備するモニタ等をインタフェース部に接続し、車両の搭乗者が前記スイッチ又はタッチパネル等を操作することで、多様な加工内容の中から所要の加工内容を受け付けてスムーズにデータを加工できる。
【００１７】
第３発明にあっては、デジタルデータが音声データの場合、加工内容を音声の大小、音声の高低、音声の長短又は音声の少なくともいずれか１つを変更するようにしているので、変換装置で従来のアンプ装置が担っていた機能を確実に行うことができる。なお、音声データに対する加工内容に、上記以外にも、エコー及びアレンジ等の効果（エフェクト）を付加するエフェクト加工を含むことも可能である。さらに、デジタルデータが画像データの場合は、画像の大小、明度、彩度、画質及び色調等を変更する変更加工、及び、模様、図、及び他の画像等の効果を付加するエフェクト加工を加工内容に含むようにしてもよい。
【００１８】
第４発明にあっては、変換装置が加工程度受付手段を備えるので、受け付けた加工内容におけるデータを加工する程度を変換装置が把握でき、一段と細やかなデータ加工を実現できる。例えば、音声データに対して高音を強化する加工内容を変換装置が受け付けた場合、高音を強化する程度を加工程度受付手段が受け付けるので、変換装置は受け付けた加工程度を考慮してデータ加工を行い、所要の程度の高音に音声データを変更できる。また、画像データに対しても、オリジナルの画像の明度が低い場合、変換装置が明度を高くする程度を加工程度受付手段で受け付けることで、低すぎる明度を適性な明度に補正加工して良好な画像を得ることができる。
【００１９】
【発明の実施の形態】
以下、本発明をその実施の形態を示す図面に基づいて説明する。
図１は、本発明の実施形態に係るデータ伝送システム１０の全体的な構成を示している。データ伝送システム１０は、車両Ｓに構築されたシステムであり、変換装置に相当するメディア変換装置１１で、車載のデジタル機器であるデジタルカメラ１３及びＤＶＤ装置１４を接続すると共に外部から車両Ｓに持ち込んだＤＶカメラ１５も接続している。また、メディア変換装置１１には車載のアナログ機器であるスピーカ１６、マイクロフォン１７及びアナログモニタ１８もアナログケーブル１９ａ〜１９ｃで接続している。
【００２０】
メディア変換装置１１はデジタル機器の接続に対してシリアル・インタフェースのネットワーク規格であるＩＥＥＥ１３９４を適用しており、接続ケーブル１２ａ〜１２ｃでＩＥＥＥ１３９４に対応した各デジタル機器１３〜１５をデイジーチェーン方式で接続し、ＩＥＥＥ１３９４ネットワーク１２を形成している。なお、各デジタル機器１３〜１５はＩＥＥＥ１３９４フォーマットのデジタルデータを出力する。
【００２１】
図２はメディア変換装置１１の内部構成を示しており、メディア変換装置１１の内部は、各デジタル機器１３〜１５に対しデジタルデータの送受を行う１３９４Ｉ／Ｆ（インタフェース）部２０、各部の制御を行う制御部２４、デジタルエフェクト処理部２８、変更したデジタルデータのＤ／Ａ変換及び外部へのデータ伝送等を行う音声処理部３１及び画像処理部３４に大別される。
【００２２】
１３９４Ｉ／Ｆ部２０は、さらに、ファイ（ＰＨＹ）ＬＳＩ２１、リンク制御ＬＳＩ２２及び画像ＲＡＭ３０を備えている。ファイＬＳＩ２１は、メディア変換装置１１のデジタル接続ポート１１ａと接続されており、デジタル接続ポート１１ａを介してＩＥＥＥ１３９４フォーマットのデジタルデータの送受を行う。また、ＩＥＥＥ１３９４ではデータをシリアル伝送するので、ファイＬＳＩ２１はデジタル接続ポート１１ａから受け付けたシリアルデータをパラレルデータに変換すると共に、リンク制御ＬＳＩ２２から受け付けたパラレルデータをシリアルデータに変換する機能も有する。
【００２３】
ファイＬＳＩ２１と接続されたリンク制御ＬＳＩ２２は、ファイＬＳＩ２１から受け付けたデジタルデータのＩＥＥＥ１３９４フォーマットを通常フォーマットに変換してデジタルエフェクト処理部２８へデータを伝送する。また、リンク制御ＬＳＩ２２は、デジタルエフェクト処理部２８から受け付けた通常フォーマットのデジタルデータに対しては、上記とは逆にＩＥＥＥ１３９４フォーマットに変換してファイＬＳＩ２１へ伝送する。なお、リンク制御ＬＳＩ２２が接続される画像ＲＡＭ２３は変換処理に係る各種データを一時的に記憶するものである。
【００２４】
また、リンク制御ＬＳＩ２２と接続される制御部２４はＣＰＵ２５、ＲＯＭ２６及びＲＡＭ２７を備えており、ＣＰＵ２５はメディア変換装置１１の全体的な制御処理を行い、ＲＯＭ２６はＣＰＵ２５の制御処理に係るプログラムを記憶し、ＲＡＭ２７はＣＰＵ２５の制御処理に係るデータを一時的に記憶する。
【００２５】
一方、リンク制御ＬＳＩ２２と接続されるデジタルエフェクト処理部２８は、各デジタル機器１３〜１５から受け付けたデジタルデータを加工するデータ加工手段に相当し、加工内容受付手段及び加工程度受付手段に相当するインタフェース部２９を介して操作部３０と接続されている。デジタルエフェクト処理部２８は、リンク制御ＬＳＩ２２から伝送されるデジタルデータを、インタフェース部２９が受け付けた操作部３０からの加工内容及び加工程度に基づいてデジタルデータを加工するものである。
【００２６】
デジタルエフェクト処理部２８は、音楽を含む音声データと、静止画及び動画に対応する画像データとの加工が可能であり、音声データ及び画像データでは、加工する内容に相違がある。音声データに対しては、音の高低、音の大小、音の長短、音色及び音質を変更する加工、さらに、音声（音楽）に対してエコー、リズム及びアレンジ等のエフェクトを付加する加工を行う。一方、画像データに対しては、画像寸法の拡大縮小、画質の変更、画像の解像度、画像の色調及び画像の明度等を変更する加工に加えて、モザイク、ぼかし、グラフィック及び塗りつぶし等のエフェクトを付加する加工を行う。
【００２７】
また、デジタルエフェクト処理部２８は、上述した各種加工内容における加工程度を操作部３０の設定操作に応じて段階的に加工できるようにしており、例えば、音の高さに対しては、操作部３０の設定操作により３段階で強調する加工を行う。
【００２８】
デジタルエフェクト処理部２８は、このような変更及びエフェクト付加の加工処理を行った後、加工したデジタルデータが画像データの場合、データを画像処理部３４へ伝送し、音声データの場合は音声処理部３１へデータを伝送する。なお、デジタルエフェクト処理部２８は、音声処理部３１及び画像処理部３４がアナログデータを変換したデジタルデータの受付も行っており、このように受け付けたデジタルデータは加工すること無しに１３９４Ｉ／Ｆ部２０へ伝送する。
【００２９】
操作部３０は、上述したデジタルエフェクト処理部２８の加工内容及び加工程度に対応する各種スイッチ及びボタンが設けてあり、これらスイッチ及びボタンを操作することで、加工内容及び加工程度に応じた指示信号をインタフェース部２９へ伝送するようにしている。なお、操作部３０は、加工程度を操作するスイッチ及びボタンは、段階的に設定可能な構造になっている。また、インタフェース部２９は、伝送された指示信号を受け付けて信号の内容を整理し、デジタルエフェクト処理部２８へ伝送するものである。
【００３０】
デジタルエフェクト処理部２８から音声データが伝送される音声処理部３１は、デジタルデータをアナログデータに変換（Ｄ／Ａ変換）する変換手段に相当する音声データ用Ａ／Ｄ・Ｄ／Ａ変換部３２及び増幅部３３を有している。音声データ用Ａ／Ｄ・Ｄ／Ａ変換部３２は加工処理が行われたデジタル音声データをアナログ音声データに変換して増幅部３３へ伝送するものである。
【００３１】
なお、音声データ用Ａ／Ｄ・Ｄ／Ａ変換部３２には、メディア変換装置１１のアナログ音声入力端子１１ｃが接続されており、このアナログ音声入力端子１１ｃから受け付けたアナログ音声データをデジタル音声データに変換し、この変換したデジタル音声データをデジタルエフェクト処理部２８へ伝送する手段としても機能する。よって、図１に示すアナログ音声入力端子１１ｃに接続されたマイクロフォン１７で取得された音声は、音声データ用Ａ／Ｄ・Ｄ／Ａ変換部３２でアナログからデジタルの音声データへ変換されて、１３９４Ｉ／Ｆ部２０を介してデジタル機器へ伝送可能になっている。
【００３２】
また、音声処理部３１の増幅部３３は、操作部３０に設けてあるボリュームスイッチ（図示せず）と接続されており、ボリュームスイッチの設定位置に連動して音声データ用Ａ／Ｄ・Ｄ／Ａ変換部３２から伝送されたアナログ音声データを所要の大きさに増幅する。また、増幅されたアナログ音声データはアナログ音声出力端子１１ｂから伝送され、スピーカ１６より音声として出力される。よって、音声データの音の大小に関しては、上述したようにボリュームスイッチに対応した増幅部３０の操作又はデジタルエフェクト処理部２８における音量の加工により、２箇所で調節可能にしている。
【００３３】
さらに、デジタルエフェクト処理部２８からの画像データが伝送される画像処理部３４は、変換手段として画像データ用Ａ／Ｄ・Ｄ／Ａ変換部３５を有しており、加工処理が行われたデジタル画像データをアナログ画像データに変換（Ｄ／Ａ変換）する。画像データ用Ａ／Ｄ・Ｄ／Ａ変換部３５は、このように変換したアナログ画像データをアナログ画像出力端子１１ｄからアナログモニタ１８へ伝送している。また、画像データ用Ａ／Ｄ・Ｄ／Ａ変換部３５は、アナログ画像入力端子１１ｅとも接続されており、アナログビデオカメラのようなアナログ画像データの出力が可能なアナログ機器を接続し、アナログ画像データをデジタル画像データに変換してデジタルエフェクト処理部２８へ伝送することも行う。
【００３４】
次に、上述したデータ伝送システム１０において、ＤＶＤ装置１４で再生されるＤＶＤのデジタル音声データを加工してからスピーカ１６より出力するデータ伝送方法に係る一連の処理を図３のフローチャートに基づき説明する。なお、メディア変換装置１１では、音声データの高音を３段階強める加工内容及び加工程度が操作部３０で予め設定されているものとする。
【００３５】
先ず、ＤＶＤ装置１４からＩＥＥＥ１３９４フォーマットのデジタル音声データがメディア変換装置１１を宛先として送信される（Ｓ１）。メディア変換装置１１は、ＩＥＥＥ１３９４ネットワーク１２を通じて送信されたデジタル音声データの受付を行う（Ｓ２）。
【００３６】
メディア変換装置１１は、受け付けたデジタル音声データのフォーマットをＩＥＥＥ１３９４から通常のフォーマットへリンク制御ＬＳＩ２２で変換を行い（Ｓ３）、デジタルエフェクト処理部２８で、予め操作部３０で設定された高音を３段階強めると云う指示信号に基づきデジタル音声データの高音を強める加工を実行する（Ｓ４）。高音が強められたデジタル音声データは、音声データ用Ａ／Ｄ・Ｄ／Ａ変換部３２でアナログ音声データに変換される（Ｓ５）。
【００３７】
次に、音声データに対してボリュームスイッチで増幅の設定が行われているか否かが判断され（Ｓ６）、設定が行われている場合（Ｓ６：ＹＥＳ）、増幅部３３でアナログ音声データが増幅されてから（Ｓ７）、スピーカ１６へ伝送される（Ｓ８）。このように伝送されたアナログ音声データはスピーカ１６から音声として出力されて処理が終了する。また、ボリュームスイッチで増幅の設定が行われていない場合（Ｓ６：ＮＯ）、アナログ音声データは増幅されることなくスピーカ１６へ伝送され（Ｓ８）、音声データ自体が有する音量でスピーカ１６から出力される。
【００３８】
なお、上述した処理方法は音声データの高音を３段階高めるという加工内容及び加工程度で説明したが、本実施形態のメディア変換装置１１は、音声データに係る他の加工内容及び加工程度に対しても、同様の処理方法で加工可能である。
【００３９】
このように本実施形態に係るデータ伝送システム１０では、メディア変換装置１１で音声データの加工を行うので、従来のシステムで使用されていたアンプ装置を不要にして簡易な構成でシステムを構築できる上、従来のエフェクト装置の機能に応じたデータも加工可能となる。また、メディア変換装置１１を車室の中央部に搭載したような場合、スピーカ１６との接続に使用するアナログケーブル１９ａの長さも短縮でき、車両におけるケーブル（ワイヤハーネス）の布線作業にかかる負担も軽減できる。
【００４０】
さらに、デジタルカメラ１３及びＤＶカメラ１５のようなデジタル機器が撮像したデジタル画像データに対しては、図３のフローチャートと同様の処理を経て、操作部３０で設定された内容に基づき上述した各種加工がデジタルエフェクト処理部２８で行われる。即ち、デジタル機器から送出されたＩＥＥＥ１３９４フォーマットのデジタル画像データは、メディア変換装置１１の１３９４Ｉ／Ｆ部２０で受け付けられてフォーマット変換が行われた後、デジタルエフェクト処理部２８で各種変更又はエフェクト付加と云った加工が行われる。
【００４１】
よって、例えば、撮像されたでデジタル画像データの明度が不足するような場合でも、メディア変換装置１１のデジタルエフェクト処理部２８で明度を高めるような加工を行うことで、適性に明度が補正された画像をアナログモニタ１８で表示することが可能になる。
【００４２】
なお、本実施形態に係るデータ伝送システム１０、メディア変換装置１１及びデータ伝送方法は上述した形態以外にも、種々の変形例の適用が可能である。例えば、メディア変換装置１１に、加工内容及び加工程度に応じたスイッチを有するタッチパネル機能を具備したモニタ装置をインタフェース部２９を介して接続するようにしてもよい。また、操作部３０をメディア変換装置１１から別体にして、リモートコントロール（無線）で指示信号をインタフェース部２９へ伝送するようにしてもよい。
【００４３】
このようにタッチパネル機能を具備するモニタ装置又は別体の操作部で加工内容及び加工程度の指示を可能にすることで、メディア変換装置１１の車両への搭載箇所の自由度が向上するため、ネットワークケーブル及びワイヤハーネスの布線作業性を重視してメディア変換装置１１を設置することも可能になる。
【００４４】
また、メディア変換装置１１のインタフェース部２９には、車両に設けられた車速センサを接続すると共に、車速センサから現在の速度に応じた信号をインタフェース部２９が受け付けるようにしてもよい。このような構成に加えて、デジタルエフェクト処理部２８は一定速度以上に対する信号を車速センサから受け付けた場合、音声データに対して音量を大きくする加工を行うようにすることで、走行音が高まった場合でも良好に音声を聞き取れる状態を自動的に形成できる。
【００４５】
また、画像データに対しては一定速度以上の場合に、画像を黒く塗りつぶすようなエフェクト加工をデジタルエフェクト処理部２８で行うことにより、表示される画像により運転者の運転操作が妨げられるのを防止するようにしてもよい。
【００４６】
さらに、また、制御部２４のＲＯＭ２６に、伝送されるデータの種類に応じて加工される内容及び程度を規定するプログラム又はテーブルを記憶させると共に、デジタルエフェクト処理部２８がこれらのプログラム及びテーブルに基づき処理を行うようにして、操作部３０及びインタフェース部２９を省略した構成にしてもよい。また、音声データの加工のみを行う場合は、メディア変換装置１１から画像データの処理に係る部分を省略でき、画像データの加工のみを行う場合は、メディア変換装置１１から音声データの処理に係る部分を省略してもよい。
【００４７】
【発明の効果】
以上に詳述した如く、第１発明、第５発明及び第６発明にあっては、変換装置がデータ加工及びＤ／Ａ変換を行うので、他の装置が有していた機能を変換装置が担うことができ、システムに含める装置数を削減してシステム全体の構成を簡易化できる。また、変換装置及び各アナログ機器を接続するワイヤハーネスの布線形態も簡略化でき、車両に対するシステムの構築性も良好にできる。
【００４８】
第２発明にあっては、変換装置が加工内容を受け付けて、受け付けた加工内容に基づきデータの加工を行うので、加工内容が複数ある場合でも所要の加工を確実に行うことができる。
第３発明にあっては、音声データに対して所要の加工を行うことができる。
第４発明にあっては、変換装置が加工程度を受け付けて、受け付けた加工程度に基づきデータ加工を行うので、一段と詳細なデータ加工を実現できる。
【図面の簡単な説明】
【図１】本発明の実施形態に係るデータ伝送システムの全体構成図である。
【図２】メディア変換装置の内部構成図である。
【図３】データ伝送方法に係るフローチャートである。
【図４】従来のデータ伝送システムの全体構成図である。
【符号の説明】
１０　データ伝送システム
１１　メディア変換装置
１２　ＩＥＥＥ１３９４ネットワーク
１３　デジタルカメラ
１４　ＤＶＤ装置
１５　ＤＶカメラ
１６　スピーカ
１８　アナログモニタ
２０　１３９４Ｉ／Ｆ部
２８　デジタルエフェクト処理部
２９　インタフェース部
３２　音声データ用Ａ／Ｄ・Ｄ／Ａ変換部
３５　画像データ用Ａ／Ｄ・Ｄ／Ａ変換部
【図１】
2004109502.tif 000003
【図２】
2004109502.tif 000004
【図３】
2004109502.tif 000005
【図４】
2004109502.tif 000006